(57)【要約】【課題】イオン発生装置からのイオンを利用して、衣類などを収納した収納庫内の脱臭や除菌を効率よく行う。【解決手段】収納庫は、前面に開閉自在な扉８を有し、衣類１をポール９に吊り下げて収納する。イオンを発生させるイオン発生装置３が天板４に設けられ、イオン発生装置３は衣類１の上方に位置する。イオン発生装置３は、イオンを吹き出す吹出口２１と収納庫内の空気を吸い込む吸込口２０とを有し、吸込口２０が吹出口２１よりも扉８に近い前側に位置する。吹出口２１からイオンを含んだ気流が衣類１の上部に吹き出され、気流は下方に向かって流れる。イオンにより衣類１全体の脱臭や除菌が行われる。【選択図】図３
2013085830.tif 000002
【特許請求の範囲】
【請求項１】
前面に開閉自在な扉が設けられ、物品を吊り下げて収納する収納庫であって、イオンを発生させるイオン発生装置を備え、イオン発生装置は、物品の上部にイオンを吹き出すことを特徴とするイオン発生装置付き収納庫。
【請求項２】
イオン発生装置は、物品の上方に設けられ、物品に向かってイオンを吹き出すことを特徴とする請求項１記載のイオン発生装置付き収納庫。
【請求項３】
イオン発生装置は、イオンを吹き出す吹出口と収納庫内の空気を吸い込む吸込口とを有し、吹出口は物品の上方に位置することを特徴とする請求項１または２記載のイオン発生装置付き収納庫。
【請求項４】
吸込口が吹出口よりも扉に近い前側に位置することを特徴とする請求項３記載のイオン発生装置付き収納庫。
【請求項５】
イオン発生装置に操作部が設けられ、操作部が扉に対面するようにイオン発生装置が配置されたことを特徴とする請求項１〜４のいずれかに記載のイオン発生装置付き収納庫。
【請求項６】
物品を吊り下げるためのポールが左右方向にわたって設けられ、イオン発生装置の吹出口はポールよりも上側に位置することを特徴とする請求項３または４記載のイオン発生装置付き収納庫。
【請求項７】
イオン発生装置の下面に、吸込口および吹出口が形成されたことを特徴とする請求項３〜６のいずれかに記載のイオン発生装置付き収納庫。
【請求項８】
収納庫の天板に、イオン発生装置が設けられたことを特徴とする請求項１〜７のいずれかに記載のイオン発生装置付き収納庫。
【請求項９】
収納庫の背板、側板あるいは扉に、イオン発生装置が設けられ、吹出口は吸込口よりも上側に位置することを特徴とする請求項１記載のイオン発生装置付き収納庫。
【発明の詳細な説明】
【技術分野】
【０００１】
本発明は、衣類などの物品を吊り下げて収納する収納空間内の除菌や脱臭を行えるイオン発生装置付き収納庫に関する。
【背景技術】
【０００２】
従来のクローゼットなどの収納庫では、煙草や汗の臭いが付着した衣類が吊り下げられて収納されることがある。収納庫内の収納空間は閉空間であり、収納された衣類が密集しているため、衣類に付着した臭いが取れにくい。しかも、収納空間にその臭いがこもる、他の綺麗な衣類に臭いが移るといった問題がある。また、雨などで少し濡れた状態の衣類をそのまま収納すると、小空間である収納空間では、湿度が上がり、その結果、カビが繁殖しやすい環境になってしまうという問題もある。
【０００３】
その解決策として、特許文献１に記載された衣類収納庫では、静電霧化装置を設け、その装置によって生成される帯電微粒子水によって、収納庫内の脱臭やカビ発生の抑制が行われる。この静電霧化装置は、収納庫の下部に配置され、空気吸込口と空気吐出口とを有する。空気吸込口および空気吐出口は、上方に向けられ、空気吐出口から帯電微粒子水が放出される。
【先行技術文献】
【特許文献】
【０００４】
【特許文献１】特開２００６−６１４０９号公報
【発明の概要】
【発明が解決しようとする課題】
【０００５】
一般的に衣類は、収納庫内に差し渡されたハンガーポールに掛けられる。上記の衣類収納庫のように、衣類の下側に静電霧化装置が設置されていると、空気の吸込みや帯電微粒子水の吹出しに対して衣類が邪魔する。例えば、空気吐出口から吹き出された帯電微粒子水を含む空気がすぐに吸込口から吸い込まれるショートサーキットが生じる。そのため、帯電微粒子水は収納庫内の上部まで到達せず、衣類の下部の脱臭等はできるが、衣類の上部の脱臭等はできない。
【０００６】
また、収納庫内の下部には、空きスペースがあり、収納ボックスなどを置くことができる。しかし、この空きスペースに静電霧化装置が設置されているので、収納のためのスペースが犠牲になり、収納庫としての本来の機能を損なう。
【０００７】
ここで、脱臭や除菌のために、イオンを発生させて空気中にイオンを送出するイオン発生装置が用いられる。本発明は、イオン発生装置からのイオンを利用して、衣類などを収納した収納庫内の脱臭や除菌を効率よく行える収納庫の提供を目的とする。
【課題を解決するための手段】
【０００８】
本発明は、前面に開閉自在な扉が設けられ、物品を吊り下げて収納する収納庫であって、イオンを発生させるイオン発生装置を備えたものである。イオン発生装置は、物品の上部にイオンを吹き出す。イオンは物品の上部から下部に向けて流れていき、物品全体にイオンが行き渡る。このイオンにより、衣類等の物品に対して脱臭や除菌が行われる。
イオン発生装置は、物品の上方に設けられる。イオン発生装置から吹き出されたイオンは、物品の上部に向かい、さらに物品に沿って下部まで流れる。
【０００９】
イオン発生装置は、イオンを吹き出す吹出口と収納庫内の空気を吸い込む吸込口とを有する。吹出口は物品の上方に位置する。また、吸込口が吹出口よりも扉に近い前側に位置する。吸込口に埃等を除去するためのフィルタが設けられていると、このフィルタは扉側に位置するので、フィルタの清掃や交換が行いやすくなる。
【００１０】
なお、イオン発生装置から吹き出されるイオンは、物品の上部に向かえばよい。すなわち、吹出口が物品の上方に設けられる。吹出口からのイオンは下方の物品に向かって吹き出される。この場合、イオン発生装置は物品の上方以外の場所に設置してもよい。
【００１１】
イオン発生装置に操作部が設けられ、操作部が扉に対面するようにイオン発生装置が配置される。扉を開けると、眼前に操作部がくる。そのため、操作部を操作するときや操作部を視認するときに、収納されている物品が邪魔にならない。
【００１２】
収納庫の天板に、イオン発生装置が設けられる。イオン発生装置の下面に、吸込口および吹出口が形成されている。収納庫では、物品を吊り下げるためのポールが左右方向にわたって設けられる。したがって、イオン発生装置の吹出口はポールよりも上側に位置する。吹出口からイオンは、下方に向かって吹き出され、イオンが物品に触れる。
【００１３】
また、収納庫の背板、側板あるいは扉に、イオン発生装置が設けられる。吹出口は吸込口よりも上側に位置する。吹出口は物品よりも上方にくるので、イオンが物品の上部から下部に向かって流れていく。
【発明の効果】
【００１４】
本発明によると、イオン発生装置から吹き出されたイオンは、衣類等の物品の上部から下方に向かって流れる。これにより、イオンが物品全体に行き渡り、物品の脱臭や除菌をむらなく行うことができる。
【図面の簡単な説明】
【００１５】
【図１】本発明のイオン発生装置付き収納庫の外観を示す図
【図２】イオン発生装置付き収納庫内部の正面図
【図３】イオン発生装置付き収納庫内部の側面図
【図４】下側から見たイオン発生装置の斜視図
【図５】イオン発生装置の内部構造を示す図
【図６】イオン発生装置のＡ−Ａ断面図
【図７】イオン発生部の斜視図
【図８】イオン発生装置を上側に設けた収納庫におけるイオン濃度測定箇所を示す図
【図９】イオン発生装置を下側に設けた収納庫におけるイオン濃度測定箇所を示す図
【図１０】収納庫内の平面方向のイオン濃度測定箇所を示す図
【図１１】枕棚を有するイオン発生装置付き収納庫内部の正面図
【図１２】イオン発生装置を背板に設けた収納庫内部の側面図
【図１３】イオン発生装置を扉に設けた収納庫内部の側面図
【図１４】イオン発生装置を天板の外部に設けた収納庫の外観を示す図
【発明を実施するための形態】
【００１６】
本実施形態のイオン発生装置付き収納庫を図１〜３に示す。衣類１などの物品を吊り下げて収納する収納庫は、前面が開口した収納空間２を有し、イオンを発生させるイオン発生装置３を備えている。
【００１７】
収納空間２は、天板４、背板５、左右の側板６、底板７から形成され、前面の開口に開閉自在な扉８が設けられる。収納空間２の上部には、衣類１を吊り下げるためのポール９が設けられる。ポール９は、左右方向に差し渡され、左右の側板６に取り付けられる。
【００１８】
収納空間２内に設置されるイオン発生装置３は、天板４に取り付けられ、ポール９よりも上方に位置する。図４〜６に示すように、イオン発生装置３は、イオンを発生するイオン発生器１０と、発生したイオンを吹き出すための送風機１１とを備えている。これらはケース１２に内装されている。ケース１２は、後板１３と後板１３に着脱可能に取り付けられたカバー１４とから構成される。後板１３が天板４に取り付けられ、カバー１４が下方の衣類１に対向する。
【００１９】
カバー１４の下面に、空気の吸込口２０とイオンを吹き出す吹出口２１とが形成される。吸込口２０および吹出口２１は、下向きとされる。吸込口２０は、カバー１４に形成された凹部２２内に位置し、凹部２２にフィルタ２３が嵌め込まれている。吹出口２０および吸込口２１は、ポール９よりも上側に位置する。
【００２０】
カバー１４の前面に、操作部２４が設けられる。操作部２４は、電源のオンオフや運転切り替えを行う運転スイッチと、運転モードや異常などの動作状態を示すインジケータなどを備えている。
【００２１】
イオン発生器１０は、図７に示すように、複数のイオン発生部３０を有する本体部３１と、イオン発生部３０を覆う電極カバー３２とから一体的に形成され、ユニット化されている。本体部３１には、高電圧発生回路などを搭載した制御回路基板が内蔵され、外部から電力を供給するコネクタ３３が設けられている。外部から電線が収納庫内に引き込まれ、天板４に沿って配線され、電線がコネクタ３３に接続される。
【００２２】
イオン発生部３０は、針状の放電電極３４と誘導電極（図示せず）とを有する。電極カバー３２は、イオン発生部３０を外部の異物から守り、損傷を防ぐとともに、使用者が触れないように保護している。イオン発生器１０はケース１２に着脱自在に装着される。カバー１４の側面に、イオン発生器１０の着脱用の開口が形成され、開口は蓋３５に覆われている。
【００２３】
商用電源から電力が電線を通じてイオン発生器１０に供給されると、高電圧に変換されてイオン発生部３０に供給される。放電電極３４と誘導電極との間に高電圧が印加されて放電が起こり、放電電極３４の先端でイオンが発生する。このイオン発生器１０は、正イオンＨ＋（Ｈ２Ｏ）ｍあるいは負イオンＯ２−（Ｈ２Ｏ）ｎを発生する。ｍ、ｎは任意の自然数である。正イオンを発生するイオン発生部３０は、両端の２つのイオン発生部３０とされ、負イオンを発生するイオン発生部３０は、中央の２つのイオン発生部３０とされる。
【００２４】
送風機１１の駆動により、収納空間２の空気が吸込口２０からケース１２内に吸い込まれる。フィルタ２３は、吸い込む空気から埃等を除去する。清浄にされた空気は、送風機１１を通り、イオン発生部３０を通過する。イオン発生部３０から発生したイオンが送風機１１の気流によって運ばれ、イオンを含む空気が吹出口２１から収納空間２に吹き出される。
【００２５】
正イオンと負イオンを空気中に同時に送出する場合、空気中の浮遊細菌や臭い物質の表面に正負イオンが付着して、化学反応を起こし、そのときに発生する水酸基ラジカル（・ＯＨ）や過酸化水素（Ｈ２Ｏ２）によって殺菌されたり、分解されたりする。また、衣類１が帯電している場合、その電位と逆の電位が吸着されるので、帯電除去も行える。
【００２６】
なお、イオン発生器１０の構造として、平板上に放電電極および誘導電極を印刷形成した平板型、ガラス管等の内外表面にそれぞれ電極を配した円筒側、空間に電極線を張った線状電極型のいずれかを採用してもよい。また、イオン発生器１０から負イオンのみを発生させてもよい。この場合、若干の殺菌効果と帯電防止効果が得られる。負イオンを発生させる場合、イオン発生器１０の代わりに、トルマリンなどの鉱物を使用してもよい。この鉱物に空気が接触することにより、負イオンが発生する。
【００２７】
イオン発生装置３は、収納空間２の左右方向において中央に位置する。前後方向においても中央付近に位置する。すなわち、イオン発生装置３は、衣類１の上方に設けられる。イオン発生装置３の吹出口２１からイオンが下方に向かって放出され、ダウンフローが生じる。イオンは、ポール９に吊り下げられた衣類１に当たり、袖などに沿って衣類１の下部まで到達する。このように、ポール９の上方の空いたスペースから吹き出されたイオンは、衣類１全体、さらには収納空間２全体に行き渡る。そのため、効率よく衣類１および収納空間２の脱臭、除菌を行うことができる。
【００２８】
特に、イオン発生装置３をポール９の真上に設置することが好ましい。吸込口２０と吹出口２１とはポール９を跨いで前後方向に配置されることになる。吸込口２０は吹出口２１よりも前側に位置する。吹出口２１から吹き出したイオンを含む気流は、衣類１と背板５との間の空間を通り、収納空間２の下部に至り、前側に向かって流れ、衣類１と扉８との間の空間を通って吸込口２０に戻る。このように、収納空間２を循環する流路が形成され、イオンを収納空間２全体に効率的に行き渡らせることができる。
【００２９】
ここで、イオン発生装置３を収納空間２の上側に設置した場合と下側に設置した場合とにおけるイオンの分布を比べる。イオン発生装置３を天板４の中央に設置した場合と底板７の中央に設置した場合とにおいて、イオンの濃度を測定する。イオン発生装置３が上側にある場合、図８に示すように、衣類１よりも下方の位置でイオン濃度を測定する。イオン発生装置３が下側にある場合、図９に示すように、衣類１よりも上方の位置でイオン濃度を測定する。図１０に示すように、前後方向および左右方向のそれぞれ３点ずつ計９点で測定する。そして、衣類有りのときと衣類無しのときにそれぞれ測定する。
【００３０】
測定によって得られた結果を表１，２に示す。表１は、イオン発生装置３を上側に設置した場合、表２は、イオン発生装置３を下側に設置した場合である。表中の数値は、衣類無しのときのイオン濃度を１００％として、衣類有りのときに測定したイオン濃度から正負イオンの残存率を算出した値を示す。上段が正イオンの残存率、下段が負イオンの残存率である。
【００３１】
【表１】
2013085830.tif 000003
【００３２】
【表２】
2013085830.tif 000004
【００３３】
この測定結果より、イオンの放出を上側から行った場合、衣類１の下側における正イオンの平均残存率は７２％、負イオンの平均残存率は６３％である。これに対し、イオンの放出をした側から行った場合、衣類１の上側における正イオンの平均残存率は１１％、負イオンの平均残存率は１２％である。イオン発生装置３を上側に設置することにより、衣類が吊り下げられていても、ダウンフローによってイオンは収納空間２の下部まで行き届く。一方、イオン発生装置３を下側に設置して上向きにイオンを送出しても、衣類１によってイオンの上昇が妨げられる。そして、収容空間に下部に漂っているイオンはイオン発生装置３の吸込口から吸い込まれてしまうので、ほとんどのイオンは衣類の上部まで達しない。したがって、収納空間２全体の脱臭および除菌を効率的に行うには、上から下に向けてイオンを送出させることが最良の方法である。これによって、衣類に対してもくまなく脱臭および除菌を行うことができる。
【００３４】
イオン発生装置３は、収納空間２内の空気を吸い込み、イオンを含ませて吹き出す。このとき、フィルタ２３は、空気中の埃を捕集する。時間が経過するにつれて、フィルタ２３全体に埃が付着し、吸い込む空気の量が減少する。そのため、送風機１１の送風量が減少し、イオンの放出に影響を及ぼす。そのため、フィルタ２３の清掃、交換といったメンテナンスが定期的に必要となる。イオン発生装置３の吸込口２０は扉８寄りに位置しているので、フィルタ２３をケース１２から着脱する際、ポール９や衣類１が邪魔にならない。したがって、使用者は楽にフィルタ２３を着脱することができる。
【００３５】
また、操作部２４が収納庫の前面に臨むように設けられているので、扉８を開ければ、操作部２４が眼前に現れる。使用者は、イオン発生装置３の運転状況やイオンの発生状況を容易に確認することができ、操作に関しても手を伸ばすことによって簡単に行える。
【００３６】
イオン発生装置３が天板４に取り付けられているため、収納空間２の下部はフリースペースとなる。そのため、他の物品を収納することができる。例えば、衣類を収納したボックスを置くことができる。そこで、このボックスに通気口を形成する。上部から流れてきたイオンが通気口を通ってボックス内に入る。ボックス内を脱臭および除菌することができる。
【００３７】
ところで、収納庫では、扉８の内側に小物を掛けるためのスペースが設けられる。そのため、図３に示すように、ポール９は、前後方向の中央よりも少し後側に配される。イオン発生装置３の操作性および視認性を考慮すると、イオン発生装置３は、天板４の前側寄りに設置される。イオン発生装置３の吹出口２１はポール９よりも前側に位置する。
【００３８】
この場合、吹出口２１から放出されたイオンを含む気流は、衣類１の上部に当たる。気流の一部は衣類１の肩のラインに沿って後側に流れ、衣類１と背板５との間の空間を通って衣類１の下部に達する。したがって、イオンは収納空間２の後側の下部まで届き、衣類１全体の脱臭や除菌を問題なく行える。
【００３９】
上記とは逆に、イオン発生装置３を天板４の後側寄りに設置してもよい。吹出口２１は、背板５の近くに位置する。吹出口２１からの気流は、衣類１と背板５との間の空間に直接放出される。気流速度が速いので、気流は収納空間２の下部まで到達しやすくなる。
【００４０】
収納庫として、たんす、押入れ、部屋組み込み式のクローゼット、ウォークインクローゼットがあげられる。部屋組み込み式のクローゼットの場合、図１１に示すように、天板４の下方に枕棚３６が設けられる。枕棚３６の上部空間には、衣装ケースなどが載置される。枕棚３６の下方にポール９が設けられる。イオン発生装置３は、枕棚３６の下面に取り付けられる。
【００４１】
イオン発生装置３は、収納庫内の衣類１よりも上方に設けられる。そこで、イオン発生装置３の他の設置形態として、図１２に示すように、イオン発生装置３が背板５の上部に取り付けられる。あるいは図１３に示すように、イオン発生装置３が扉８の上部に取り付けられる。なお、イオン発生装置３を左右の側板６の一方あるいは両方に取り付けてもよい。
【００４２】
このような設置時には、吹出口２１は吸込口２０よりも上側とされるとともに、ポール９よりも上方に位置する。吹出口２１からの気流は、収納空間２の上部に放出され、イオンは上方から下方に向かって押し流される。イオンは衣類１に触れ、衣類１の脱臭や除菌が行われる。このとき、気流速度が速くても、吹き出された気流は衣類１に直接当たらない。したがって、気流が衣類１に直接当たることによる騒音の発生を抑制できる。
【００４３】
イオン発生装置３の設置位置を少し下げると、吹出口２１が衣類１に対向した位置になる。この場合、吹出口２１からの気流は衣類１に直接当たる。すなわち、高濃度のイオンが衣類１に触れるので、脱臭や除菌の効果を高めることができる。したがって、イオン発生装置３を上下方向に移動可能に取り付けるとよい。静粛性を求める場合には、イオン発生装置３を高い位置に移動すればよく、効果を高めたい場合には、イオン発生装置３を低い位置に移動すればよい。
【００４４】
また、他の設置形態として、図１４に示すように、イオン発生装置３を天板４の上面に設ける。天板４に、貫通孔が形成され、イオン発生装置３の吹出口２１は貫通孔に対向する。吹出口２１からの気流は、天板４の貫通孔を通って収納空間２内に吹き出される。吸込口２０から収納庫の外部の空気が吸い込まれる。貫通孔にルーバを設けておくと、気流を分散させることができ、イオンを収納空間２の隅々まで広めることができる。しかも、イオン発生装置３は収納庫の外部にあるので、給電のための電線を収納庫内に引き込む必要がなくなり、設置作業が簡単になる。
【００４５】
なお、本発明は、上記実施形態に限定されるものではなく、本発明の範囲内で上記実施形態に多くの修正および変更を加え得ることは勿論である。収納庫が冷蔵室や冷凍室であってもよく、吊り下げられて収納される物品は、食肉やソーセージなどの食品とされる。
【００４６】
また、イオン発生装置からのイオンは、衣類等の物品の上部に向かって放出されればよい。すなわち、イオン発生装置の吹出口が物品の上方に位置すればよい。イオン発生装置は、物品の上方以外の場所に設置される。例えば、天板の扉の近傍のように、収納空間の前側にイオン発生装置が設置される。イオン発生装置からダクトなどにより、物品の上方に至る送風路を設ける。送風路は天板に沿って配され、送風路の先端が吹出口とされ、吹出口は物品の上方に位置することになる。
【符号の説明】
【００４７】
１    衣類
２    収納空間
３    イオン発生装置
４    天版
５    背板
６    側板
７    底板
８    扉
９    ポール
１０    イオン発生装置
１１    送風機
１２    ケース
２０    吸込口
２１    吹出口
２３    フィルタ
２４    操作部
３０    イオン発生部
３１    本体部
３２    電極カバー
３３    コネクタ
【図１】
2013085830.tif 000005
【図２】
2013085830.tif 000006
【図３】
2013085830.tif 000007
【図４】
2013085830.tif 000008
【図５】
2013085830.tif 000009
【図６】
2013085830.tif 000010
【図７】
2013085830.tif 000011
【図８】
2013085830.tif 000012
【図９】
2013085830.tif 000013
【図１０】
2013085830.tif 000014
【図１１】
2013085830.tif 000015
【図１２】
2013085830.tif 000016
【図１３】
2013085830.tif 000017
【図１４】
2013085830.tif 000018